(57)【要約】【課題】    バッファに代わって取付けられ、プラットフォームやエレベータかごの組立てを簡単に行え、組立て終了後はバッファに簡単に戻すことができる、エレベータ装置及び同施工方法を提供すること。【解決手段】      エレベータかご２と、エレベータかご２を載置し昇降路１内を昇降するプラットフォーム３と、該プラットフォーム３の昇降をガイドするガイドレール４と、プラットフォーム３の落下衝撃を和らげるバッファ７と、昇降路１底面に設けられ、バッファ７を着脱可能に保持立設する保持部５１を有するガイドレール４支持用のレールスタンド５と、施工時にバッファ７に代わって保持部５１に保持立設され、プラットフォーム３を仮保持する組立て治具６とを有するエレベータ装置及び同施工方法である。【選択図】図１
2005231831.tif 000002
【特許請求の範囲】
【請求項１】
エレベータかごと、エレベータかごを載置し昇降路内を昇降するプラットフォームと、該プラットフォームの昇降をガイドするガイドレールと、プラットフォームの落下衝撃を和らげるバッファと、昇降路底面に設けられ、バッファを着脱可能に保持立設する保持部を有するガイドレール支持用のレールスタンドと、施工時にバッファに代わって保持部に保持立設され、プラットフォームを仮保持する組立て治具とを有するエレベータ装置。
【請求項２】
バッファ及び組立て治具は保持部に挿入される軸部を有し、組立て治具の軸部はバッファの軸部より長く、プラットフォーム仮保持時に昇降路の最低乗り場床位置に略揃えるように形成されていることを特徴とする請求項１に記載のエレベータ装置。
【請求項３】
昇降路の底部にレールスタンドを設置し、該レールスタンドにガイドレールを支持立設し、レールスタンドに設けられた保持部に、プラットフォーム仮保持位置が昇降路の最低乗り場床位置に略揃えるようにプラットフォーム仮保持用の組立て治具を保持し、該組立て治具上でプラットフォームを組立て、該プラットフォーム上にエレベータかごを載置した後、組立て治具に代わって保持部にバッファを保持することを特徴とするエレベータ装置の施工方法。
【発明の詳細な説明】
【技術分野】
【０００１】
本発明は、エレベータ装置及びエレベータ装置の施工方法に関するものである。
【背景技術】
【０００２】
荷物のあるときや高齢者の階段昇降は困難を伴うため、近年一般住宅にも家庭用エレベータを設ける例が多くなっている。
【０００３】
しかし設置面積が多くなると居住スペースが狭くなるため、家庭用エレベータは昇降路の水平断面積をできるだけ小さくし、限られたスペースに設置されるようになっている。
【０００４】
一方でガイドレールや、エレベータかごなどのエレベータ装置の各部品は大きく、施工する際に昇降路内に持ち込みにくく、例えば分解した状態で昇降路内に持ち込み、昇降路内で組立てることを行なっている。
【０００５】
例えばエレベータかごは、天井板、側板などを個別に昇降路内に持ち込み、狭い昇降路内に作業員が入り、組み立てを行なっていた。すなわち、昇降路内にエレベータかごを載置するプラットフォームをまず組み立て、該プラットフォーム上にエレベータかごを組立て、載置していた。
【０００６】
ここで昇降路は、種々のエレベータ装置に用いられる部材、部品を最低階床下にも設けるため、掘り下げた状態となっている。そのためプラットフォームはこの昇降路底面にて組立て、ジャッキなどの吊り下げ装置を用い吊り下げ、例えばロープ式エレベータでは駆動ワイヤなどに固定した後、その他の施工を行なうなどしていた。
【０００７】
そのため、各種部材、部品などがあり狭い昇降路底面で組立てることは非常に注意を要する作業となっていた。
【０００８】
そこで従来、例えば特開平９−２２７０４６号公報などに見られるような、エレベータのバッファを流用することが考えられていたが、設置されるエレベータ装置に取り付けられたままになってしまうものが殆どであった。
【特許文献１】特開平９−２２７０４６号公報
【発明の開示】
【発明が解決しようとする課題】
【０００９】
本願発明は、上記背景技術に鑑みて発明されたものであり、その課題は、バッファに代わって取付けられ、プラットフォームやエレベータかごの組立てを簡単に行え、組立て終了後はバッファに簡単に戻すことができる、エレベータ装置及び同施工方法を提供することである。
【課題を解決するための手段】
【００１０】
上記課題を解決するために、本願発明は、エレベータ装置として、エレベータかごと、エレベータかごを載置し昇降路内を昇降するプラットフォームと、該プラットフォームの昇降をガイドするガイドレールと、プラットフォームの落下衝撃を和らげるバッファと、昇降路底面に設けられ、バッファを着脱可能に保持立設する保持部を有するガイドレール支持用のレールスタンドと、施工時にバッファに代わって保持部に保持立設され、プラットフォームを仮保持する組立て治具とを有するエレベータ装置としている。
【００１１】
また施工方法として、  昇降路の底部にレールスタンドを設置し、該レールスタンドにガイドレールを支持立設し、レールスタンドに設けられた保持部に、プラットフォーム仮保持位置が昇降路の最低乗り場床位置に略揃えるようにプラットフォーム仮保持用の組立て治具を保持し、該組立て治具上でプラットフォームを組立て、該プラットフォーム上にエレベータかごを載置した後、組立て治具に代わって保持部にバッファを保持することを特徴とするエレベータ装置の施工方法としている。
【発明の効果】
【００１２】
本願発明の請求項１記載のエレベータ装置においては、バッファに代わってレールスタンドにプラットフォームを仮保持する組立て治具を設けたことで、この治具を用いてプラットフォーム及びエレベータかごを簡単に組立てることができ、その後バッファに簡単に戻すことができる。
【００１３】
また請求項２記載のエレベータ装置では、組立て治具の軸部がプラットフォーム仮保持時に昇降路の最低乗り場床位置に略揃えるように形成されていることで、乗り場側も作業場所として使うことができ、またそのままの高さでプラットフォームやエレベータかごの構成部品を持ち込めるので、さらに簡単に組立てることができる。
【００１４】
また請求項３に係る、同エレベータ装置の施工方法においては、請求項１のエレベータ装置と同様に、バッファに代わってレールスタンドにプラットフォームを仮保持する組立て治具を設けたことで、この治具を用いてプラットフォーム及びエレベータかごを簡単に組立てることができ、その後バッファに簡単に戻すことができる。
【発明を実施するための最良の形態】
【００１５】
本願発明の最良の形態を図１から図３に示される以下の実施例にて説明する。なお、図１は、（ａ）プラットフォーム組立て時、（ｂ）エレベータ装置の本願発明に関する要部を示した各正面図である。なお、１Ｆは１階の床位置を、ＰＬは昇降路の底面位置をそれぞれ示している。図２は本実施例に用いられている（ａ）レールスタンド、（ｂ）組立て治具、（ｃ）バッファをそれぞれ示した斜視図である。図３は本実施例のエレベータ装置の概要を示した（ａ）正面図、（ｂ）側面図である。
【００１６】
本実施例では、図示するように、エレベータかご２と、エレベータかご２を載置し昇降路１内を昇降するプラットフォーム３と、該プラットフォーム３の昇降をガイドするガイドレール４と、プラットフォーム３の落下衝撃を和らげるバッファ７と、昇降路１底面に設けられ、バッファ７を着脱可能に保持立設する保持部５１を有するガイドレール４支持用のレールスタンド５と、施工時にバッファ７に代わって保持部５１に保持立設され、プラットフォーム３を仮保持する組立て治具６とを有するエレベータ装置である。
【００１７】
また、バッファ７及び組立て治具６は保持部５１に挿入される軸部６２，７２をそれぞれ有し、組立て治具６の軸部６２はバッファ７の軸部７２より長く、プラットフォーム３仮保持時に昇降路１の最低乗り場床位置に略揃えるように形成されている。
【００１８】
なお、実際の施工は、昇降路１の底部にレールスタンド５を設置し、該レールスタンド５にガイドレール４を支持立設し、レールスタンド５に設けられた保持部５１に、プラットフォーム３仮保持位置が昇降路１の最低乗り場床位置に略揃えるようにプラットフォーム仮保持用の組立て治具６を保持し、該組立て治具６上でプラットフォーム３を組立て、該プラットフォーム３上にエレベータかご２を載置した後、組立て治具６に代わって保持部５１にバッファ７を保持し行なわれる。
【００１９】
ところで、プラットフォーム３やエレベータかご２は昇降路１内に持ち込む際に、それぞれ部品毎、例えば縦枠３１や横枠３２など、に分解される。そして持ち込んだ後に、上述のように組立て治具６上で、プラットフォーム３やエレベータかご２に組立てられる。そうすることで、昇降路１の水平断面積を小さく、狭くしてあっても、昇降路１の中にこれらを組み込むことができる。
【００２０】
なお、プラットフォーム３は種々の方法で転倒しないように保持され、エレベータかご２などをその上で組立てるが、例えば、レールスタンド５に支持されているガイドレール４に、プラットフォーム３の縦枠３１に設けられたガイドローラ３４によりガイドレール４と係合させ、プラットフォーム３が組立て治具６上で転倒しないようにしている。勿論ワイヤーなどを保持手段として用いることもできる。
【００２１】
なお、プラットフォーム３が出来上がった時点で、ロープ８と連結させてもよく、その後一旦プラットフォーム３及びエレベータかご２を上昇させ、該組立て治具６を取り外し、代わってバッファ７を保持部に保持立設させる。そして組立て治具６は、例えば保守点検時に再度用いたり、別の施工時に流用し用いることができる。
【００２２】
本実施例のプラットフォーム３は縦枠３１、横枠３２により略ト字状に形成され、横枠３２上には支持台３３が形成され、同支持台３３上にエレベータかご２を形成する。なおこのものにおいては、支持台３３がエレベータかご２の底面を兼用している。
【００２３】
またプラットフォーム３の縦枠３１下端は、バッファ７に非常時には衝突するようにされていて、落下の衝撃を和らげることになる。このバッファ７当接位置は、エレベータ装置それぞれで異なり、本実施例ではプラットフォーム３の縦枠３１下端に当接させている。
【００２４】
ここで本実施例に用いられているレールスタンド５、組立て治具６、バッファ７について説明すると、レールスタンド５は図２（ａ）に示すように、アングル５２を間隔をおいて対向させ、連結板５３でつないで枠状にしている。そして連結板５３との間に保持板５４を設け、同保持板５４上に筒状の保持部５１を設けている。なお、アングル５２には昇降路１底面に固定するためのボルト孔が形成され、アングル５２の立片にガイドレール４を固定するようにしている。
【００２５】
また組立て治具６は、図２（ｂ）に示すように、板状の組立て治具本体６１から軸部６２が垂下されて形成されている。またバッファ７も組み立て治具  と同様に、板状のバッファ支持台３３から軸部７２が垂下され、同バッファ支持台３３上に弾性体７４が留具７５により固定され形成されている。そして、軸部の長さは先述のとおりバッファのもののほうが短くなっている。また、弾性体７４は図示のようなつるまきバネ形状だけでなく、その他所定の能力を有するものであれば種々のものを用いることができる。またレールスタンド５、組立て治具６、バッファ７その他エレベータ装置の各構成要素は、本実施例で示したものの他、種々の形態が考えられる。
【００２６】
ここで図３を用いてエレベータ装置全体の説明をすると、昇降路１が建物の各階を貫いて形成され、ガイドレール４を昇降路１底面に設置されたレールスタンド５に支持立設させている。図３では、トラクション型エレベータを図示しているため、プラットフォーム３に連結されたロープ８をモータ１１に連なるシーブ１０にかけ、ロープ８の他端をカウンタウェイト９に連結している。なお、例えば油圧式エレベータに本発明を用いるならば、駆動装置がモータ１１から油圧ジャッキに変わり、油圧ジャッキの駆動力をプラットフォーム３に伝える構造が変わるだけで、その他はなんら変わる所が無い。
【００２７】
またプラットフォーム３は先述のとおり縦枠３１と横枠３２から形成されているが、縦枠３１は縦枠横材３５と縦枠縦材３６を組み合わせている。そしてロープ８は上側の縦枠横材３５に連結している。
【００２８】
また各階には乗り場扉装置１２がそれぞれ設けられ、エレベータかご２が着床すると、エレベータかご２に設けられているかご扉装置２１と連動し、開閉される。
【図面の簡単な説明】
【００２９】
【図１】本願発明の実施形態であるエレベータ装置の、（ａ）プラットフォーム組立て時、（ｂ）エレベータ装置の要部を示した各正面図である。
【００３０】
図である。
【図２】同（ａ）レールスタンド、（ｂ）組立て治具、（ｃ）バッファをそれぞれ示した斜視図である。
【図３】本実施例のエレベータ装置の概要を示した（ａ）正面図、（ｂ）側面図である。
【符号の説明】
【００３１】
１  昇降路
２  エレベータかご
２１  かご扉装置
３  プラットフォーム
３１  縦枠
３２  横枠
３３  支持台
３４  ガイドローラ
３５  縦枠横材
３６  縦枠縦材
４  ガイドレール
５  レールスタンド
５１  保持部
５２  アングル
５３  連結板
５４  保持板
６  組立て治具
６１  組立て治具本体
６２  軸部
７  バッファ
７２  軸部
７３  バッファ支持台
７４  弾性体
７５  留具
８  ロープ
９  カウンタウェイト
１０  シーブ
１１  モータ
１２  乗り場扉装置
【図１】
2005231831.tif 000003
【図２】
2005231831.tif 000004
【図３】
2005231831.tif 000005